(57)【要約】【課題】  かご室内の意匠性を損なうことなく、停電時にかご室内の必要照度を確保できる停電灯装置を備えたエレベーターを提供する。【解決手段】  本発明は、停電灯装置（１１）は、かご室の天井に隣接して設けられた停電灯収納室（１２）と、かご室と停電灯収納室（１２）とを仕切る天井カバー（１４）と、天井カバー（１４）を、通電時には閉状態とし、停電時には開状態とすることが可能な電磁石（１６）と、通電時は天井カバー（１４）に支持されて停電灯収納室（１２）に収納され、停電時は自重によって停電灯収納室（１２）を出てかご室に向かって所定の距離を降下する停電灯（１３）と、停電灯（１３）に固定され、停電灯（１３）が降下する距離（Ｌ）を調整可能な停電灯支持部材（１７）と、を有することを特徴とするエレベーターを提供する。【選択図】図５Ａ
2019006592.tif 000002
【特許請求の範囲】
【請求項１】
エレベーターを構成する乗りかごのかご室に停電灯装置を備えたエレベーターにおいて、
前記停電灯装置は、前記かご室の天井に隣接して設けられた停電灯収納室と、
前記かご室と前記停電灯収納室とを仕切る天井カバーと、
前記天井カバーを、通電時には閉状態とし、停電時には開状態とすることが可能な電磁石と、
通電時は前記天井カバーに支持されて前記停電灯収納室に収納され、停電時は自重によって前記停電灯収納室を出て前記かご室に向かって所定の距離を降下する停電灯と、
前記停電灯に固定され、前記停電灯が降下する前記所定の距離を調整可能な停電灯支持部材と、を有することを特徴とするエレベーター。
【請求項２】
請求項１記載のエレベーターにおいて、
前記停電灯支持部材は、直角に連結された２つの板状部材を有する第１の部材と、直角に連結された２つの板状部材を有する第２の部材からなり、
前記第１の部材の一方の板状部材に前記停電灯が固定され、前記第１の部材の他方の板状部材が前記停電灯収納室の天井に設けられた貫通孔を貫通し、
前記第２の部材の一方の板状部材が、前記貫通孔を貫通した前記第１の部材の前記他方の板状部材に固定され、前記第２の部材の他方の板状部材が停電時に前記停電灯の降下とともに降下し、前記停電灯収納室に衝突して前記停電灯の降下を停止する構成を有していることを特徴とするエレベーター。
【請求項３】
請求項１記載のエレベーターにおいて、
前記停電灯支持部材は、前記停電灯を固定する停電灯固定部材と、
一端が前記停電灯固定部材に固定され、他端が前記停電灯収納室の天井に設けられた貫通孔を貫通する棒状部材と、
前記棒状部材の前記貫通孔を貫通した前記他端に設けられたダブルナットと、を有することを特徴とするエレベーター。
【請求項４】
請求項１記載のエレベーターにおいて、
前記停電灯支持部材は、前記停電灯を固定する停電灯固定部材と、
一端が前記停電灯固定部材に固定され、他端が前記停電灯収納室に固定された紐状部材からなることを特徴とするエレベーター。
【請求項５】
請求項２又は３に記載のエレベーターにおいて、
前記貫通孔に緩衝材が設けられ、
前記停電灯支持部材の一部が前記緩衝材と接触しながら前記停電灯収納室から前記かご室に向かって降下可能な構成を有することを特徴とするエレベーター。
【発明の詳細な説明】
【技術分野】
【０００１】
本発明は、エレベーターに関し、特に停電時にかご室内を照らす停電時用の照明装置を備えるエレベーターに関する。
【背景技術】
【０００２】
エレベーターにおいて、乗客や荷物を載せる乗りかごには、通常、停電時にかご室内を照らすことができる停電時用の照明装置（停電灯装置）が設けられている。停電時の照度は日本国内では法令で規定されており、床面で１ルクス以上の照度を確保することができる照明装置をかご室内に設ける必要がある。また、近年リリースされた海外（欧州）のエレベーターの安全規格：ＥＮ８１−２０／５０においても、床上１ｍで５ルクス以上の照度を確保することが求められており、停電時の照度確保の必要性が高まっている。
【０００３】
一般的に、エレベーターの停電灯装置は乗りかごの天井に取付けられており、常時点灯しているものではなく、停電時にのみ点灯する。そのため、停電時ではない平常時（通電時）は目立たず、かご室内の意匠性を損なうものではないことが好ましい。
【０００４】
かご室内の意匠性を確保しつつ、かご室の天井部に停電灯装置を取付けた例として、特許文献１がある。特許文献１には、エレベーターのかご室の天井部、側板部の少なくとも一方に形成され、かご室内に面する所定箇所に開口部を有する筐体と、筐体内に収容可能であり停電時に点灯する停電灯と、開口部に開閉可能に形成された蓋部と、通電時、磁力によって蓋部を吸引して当該蓋部を閉状態に保持する電磁石と、を備え、停電時、蓋部は電磁石の磁力の消失によって開状態となり、停電灯によりかご室内を照明することを特徴とするエレベーターの停電灯装置が開示されている。特許文献１によれば、エレベーターのかご室内の意匠性を損なうことなく、停電時の照度を確保することが可能となるとされている。
【先行技術文献】
【特許文献】
【０００５】
【特許文献１】特開２００８−５０１５３号公報
【発明の概要】
【発明が解決しようとする課題】
【０００６】
特許文献１に記載の構成は、停電灯はかご天井上に固定され、天井面にカバーが取付けられているため、平常時は停電灯がかご室内に露出することなく、意匠性を損なうものではない。また、停電時には天井面のカバーが電磁石の磁力の消失により開き、停電灯がかご内を照射することが可能となり、かご内の照度を確保することができる。しかしながら、上述した特許文献１の構成では、停電灯装置がかご室の天井よりも奥まった位置で固定されているため、カバーが開いた際に、天井の開口部又はカバーが停電灯装置の配光を妨げ、床面に光が届かない箇所が発生する可能性がある。また、天井高さが高いエレベーターでは、停電灯装置と床面との距離が遠いため、十分な照度が確保できない可能性がある。
【０００７】
配光が妨げられない寸法まで開口部を大きくすることにより照度の確保は可能だが、開口部が大きくなることにより、天井の設計に制限が発生し、かご室の意匠の自由度が阻害される。また、開口部が大きくなることにより、天井の強度が低下する恐れもある。
【０００８】
天井の開口部やカバーによる配光の妨げを考慮し、かご内照度を確保するために、停電灯装置の員数を増すことも考えられるが、停電灯装置の員数が増えることにより製造コストが増大する。また、停電灯装置取り付けの場所を複数個所確保することにより、設計に制限が発生し、意匠の自由度が阻害される。
【０００９】
本発明は、前述した従来技術における実状を改善するものであり、その目的は、かご室内の意匠性を損なうことなく、停電時にかご室内の必要照度を確保できる停電灯装置を備えたエレベーターを提供することにある。
【課題を解決するための手段】
【００１０】
本発明は、上記目的を達成するため、かご室の天井に隣接して設けられた停電灯収納室と、かご室と停電灯収納室とを仕切る天井カバーと、天井カバーを開閉可能な電磁石と、停電灯と、停電灯に固定された停電灯支持部材とを有する停電灯装置を備えたエレベーターを提供する。停電灯は、通電時は天井カバーに支持されて停電灯収納室に収納されている。一方、停電時に天井カバーが開いたときは、自重によって停電灯収納室を出てかご室に向かって所定の距離を降下する。停電灯支持部材は、停電灯が降下する距離を調整可能な構成を有している。
【００１１】
本発明のより具体的な構成は、特許請求の範囲に記載される。
【発明の効果】
【００１２】
本発明によれば、かご室内の意匠性を損なうことなく、停電時にかご室内の必要照度を確保できる停電灯装置を備えたエレベーターを提供することができる。
【００１３】
上記した以外の課題、構成および効果は、以下の実施形態の説明により明らかにされる。
【図面の簡単な説明】
【００１４】
【図１】本発明のエレベーターの概略を示す模式図。
【図２】図１の乗りかごの外観を示す模式図。
【図３】図１のかご室の内部を示す模式図。
【図４】従来のエレベーターのかご室の内部を示す模式図。
【図５Ａ】実施例１の停電灯装置（通電時）の断面を示す模式図である。
【図５Ｂ】実施例１の停電灯支持部材を模式的に示す分解斜視図である。
【図５Ｃ】実施例１の停電灯収納室に設けられた貫通孔を示す模式図である。
【図６】実施例１の停電灯装置（停電時）の断面を示す模式図である。
【図７】実施例２の停電灯装置（停電時）の断面を示す模式図である。
【図８】実施例３の停電灯装置（停電時）の断面を示す模式図である。
【発明を実施するための形態】
【００１５】
以下に本発明の実施の形態を詳細に説明する。
【実施例１】
【００１６】
図１は本発明のエレベーターの概略を示す模式図であり、図２は図１の乗りかごの外観を示す模式図である。図１に示すように、エレベーター１００は、乗りかご３と、釣り合いおもり４と、乗りかご３及び釣り合いおもり４を接続するロープ５と、ロープ５が巻きかけられた綱車６０を有する巻き上げ機６を有する。昇降路において、巻き上げ機６がロープ５を昇降することで、乗りかご３及び釣り合いおもり４が昇降する。乗りかご３は、乗客や荷物を載せるかご室１と、かご室１を支持するかご枠２で構成される。図２に示すように、かご室１は、天井７と側板８で構成される。
【００１７】
図３は図１のかご室の内部を示す模式図である。図３に示すように、かご室１の天井７は、通電時にかご室１の内部を照らす照明装置９と、照明装置９を覆う天井遮蔽板１０を有する。かご室１には、照明装置９とは別に、停電時にかご室１の内部を照らす停電灯装置１１が設けられている。停電灯装置１１は、かご室１の天井７に隣接して設けられた停電灯収納室１２と、かご室１と停電灯収納室１２とを仕切る天井カバー１４と、停電灯１３を有する。
【００１８】
停電灯１３は、通電時は、かご室１の天井に設けられた停電灯収納室１２に収納され、天井７と一体になった天井カバー１４によって隠されており、かご室１の内部の意匠性を損なわない構成となっている。一方、停電時は、停電灯１３は停電灯収納室１２を出てかご室１に向かって（図３の矢印方向に）所定の距離降下し、かご室１の内部を照らす構成を有している。
【００１９】
図４は従来のエレベーターのかご室の内部を示す模式図である。図４に示す構成では、停電時でも停電灯４１が停電灯収納室４０に収納されているため、停電灯４１の光の一部が天井遮蔽板１０によって遮られてしまう。また、図３に示す構成と比較して、停電灯４１とかご室１の床面までの距離も長いため、床面（照明領域３１）において十分な照度を確保することができない。
【００２０】
これに対し、再び図３を参照すると、本発明のエレベーターでは、停電灯１３が下降するため、停電灯１３の光が天井遮蔽板１０によって遮られないようにすることができる。また、図４に示す構成と比較して、停電灯１３とかご室１の床面までの距離が短いため、床面（照明領域３０）において十分な照度を確保することができる。この結果、前述した近年のエレベーターの規格（ＥＮ８１−２０／５０）を満たすことができるエレベーターを提供することができる。
【００２１】
次に、本発明のエレベーターの停電灯装置の構成について詳述する。図５Ａは実施例１の停電灯装置（通電時）の断面を示す模式図である。図５Ａに示すように、停電灯装置１１は、前述した停電灯収納室１２、停電灯１３及び天井カバー１４と、天井カバー１４を開閉可能な電磁石１６と、停電灯１３を支持する停電灯支持部材１７を有する。天井カバー１４には、停電灯１３と接触する面に緩衝材２０が設けられている。このように緩衝材２０を設けることで、エレベーター走行時の振動により、停電灯１３と天井カバー１４とが加振されて発生する騒音（異音）を防止することができる。緩衝材２０としては、例えばフェルトやスポンジを用いることができる。
【００２２】
電磁石１６は、通電時は、磁力によって天井カバー１４を吸引し、天井カバー１４を「閉」状態とする。一方、停電時は、磁力が消失し、天井カバー１４を吸引する力を失うことによって天井カバー１４をヒンジ１５を回転軸として回転し、「開」状態とする。停電時に天井カバー１４が開くと、停電灯１３は自重によって停電灯収納室１２を出てかご室１に向かって所定の距離を降下する。停電灯支持部材１７は、停電灯１３に固定され、停電灯１３が降下する距離を調整可能な構成を有する。停電灯１３は、この停電灯支持部材１７によって、自重で降下する際の距離が調整されるため、かご室１の内部に脱落することが無い。
【００２３】
図５Ｂは実施例１の停電灯支持部材を模式的に示す分解斜視図であり、図５Ｃは実施例１の停電灯収納室に設けられた貫通孔を示す模式図である。図５Ｂに示すように、本実施例の停電灯支持部材１７は、第１の部材１７ａと第２の部材１７ｂで構成される。第１の部材１７ａは直角に連結された２つの板状部材１７０，１７１を有する。同様に、第２の部材１７ｂは直角に連結された２つの板状部材１７２，１７３を有する。
【００２４】
図５Ａに示すように、第１の部材１７ａの一方の板状部材１７０に停電灯１３が固定される。また、図５Ｃに示すように、停電灯収納室１２には、第１の部材１７ａの他方の板状部材１７１が貫通する貫通孔１９が設けられている。
【００２５】
第２の部材１７ｂの一方の板状部材１７２は、貫通孔１９を貫通した第１の部材１７ａの板状部材１７１に固定される。固定方法について特に限定はなく、例えばボルト締結によって固定することができる。
【００２６】
図６は実施例１の停電灯装置（停電時）の断面を示す模式図である。第２の部材１７ｂの他方の板状部材１７３は、停電時に停電灯１３の降下とともに所定の距離（図５Ａの距離Ｌ）を降下し、停電灯収納室１２に衝突して停電灯１３の降下を停止する。すなわち、停電灯１３は、通電時は、閉じた天井カバー１４によって支持されて停電灯収納室１２に収納されるが、天井カバー１４が開くと、自重によって降下する。このとき、停電灯支持部材１７を構成する第１の部材１７ａの板状部材１７１は貫通孔１９に沿って（貫通孔１９をガイドとして）停電灯１３とともに降下する。そして、図６に示すように停電灯支持部材１７を構成する第２の部材１７ｂの板状部材１７３（図５Ａの停電灯支持部材上面折り曲げ部１８）が停電灯収納室１２に衝突することで、停電灯１３及び停電灯支持部材１７の降下を停止することができる。
【００２７】
本発明によれば、通電時には、停電灯１３は、かご室１の天井７と一体となった天井カバー１４によって隠されているため、かご室１の内部の意匠性を損なうことはない。また、停電時には、停電灯１３が降下するため、かご室に必要な照度を確保することができる。本発明は、照明灯の数を増やさなくても十分な照度を得ることができるため、天井７の設計が制限されることが無く、かご室の意匠性を損なうことは無い。さらに、停電灯１３は自重によって降下するため、停電灯１３を駆動するための駆動装置を設ける必要がなく、コストを抑えることができる。
【００２８】
本実施例の停電灯支持部材１７は、バランスを保つために断面がコの字になるように構成されているが、このような形状に限定されることはなく、停電灯１３を安定して支持することができ、停電灯１３とともに降下することができるものであれば、どのような形状であってもよい。
【００２９】
貫通孔１９には、緩衝材が設けられていてもよい。貫通孔１９に緩衝材を設けることで、停電灯支持部材１７が貫通孔を滑りながら降下するときの振動や騒音を吸収して低減することができる。緩衝材としては、例えばフェルトやスポンジを用いることができる。
【実施例２】
【００３０】
図７は実施例２の停電灯装置（停電時）の断面を示す模式図である。実施例２の停電灯装置２１は、停電灯支持部材の構成が実施例１と異なる。実施例２の停電灯支持部材２３は、停電灯１３を固定する停電灯固定部材２２と、一端が停電灯固定部材２２に固定され、他端が停電灯収納室１２の天井に設けられた貫通孔１９を貫通する棒状部材（ロッド）２４と、棒状部材２４の、貫通孔１９を貫通した他端に設けられたダブルナット２５を有する。棒状部材２４の表面には、ダブルナット２５が嵌合する溝が切られており、溝が切られている範囲で棒状部材２４におけるダブルナット２５の位置を自由に変えることができる。
【００３１】
本実施例では、ダブルナット２５の位置を調整することで、停電灯１３の降下距離を自由に調整することができる。エレベーターの設置されている現地にて何らかの理由で停電灯の照度が不足する可能性がある場合は、現地にて棒状部材２４におけるダブルナット２５の位置を変え、停電灯１３の降下距離を増やすことができる。このように、本実施例では、停電灯と床面との距離を変えることで、停電灯の照明の強さを調整することができる。
【実施例３】
【００３２】
図８は実施例３の停電灯装置（停電時）の断面を示す模式図である。実施例３の停電灯装置２６において、停電灯支持部材２７は、停電灯１３を固定する停電灯固定部材２８と、一端が停電灯固定部材２８に固定され、他端が停電灯収納室１２に固定された紐状部材２９で構成されている。停電灯１３の降下距離は、紐状部材２９の長さを変えることによって調整することができる。本実施例では、実施例１及び実施例２のように停電灯収納室１２に貫通孔１９を設ける必要が無く、停電灯１３を所定の距離降下させることができる。紐状部材２９としては、例えばロープや鎖を用いることができる。
【００３３】
以上、説明したように、本発明によれば、かご室内の意匠性を損なうことなく、停電時にかご室内の必要照度を確保できる停電灯装置を備えたエレベーターを提供することができることが示された。
【００３４】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、ある実施例の構成に他の実施例の構成を加えることも可能である。また、各実施例の構成の一部について、他の構成の追加・削除・置換をすることが可能である。
【符号の説明】
【００３５】
１…かご室、２…かご枠、３…乗りかご、４…釣り合いおもり、５…ロープ、６…巻き上げ機、６０…綱車、７…天井、８…側板、９…照明装置、１０…天井遮蔽板、１１，２１，２６…停電灯装置、１２，４０…停電灯収納室、１３，４１…停電灯、１４…天井カバー、１５…ヒンジ、１６…電磁石、１７，２３，２７…停電灯支持部材、１７ａ…第１の部材、１７ｂ…第２の部材、１８…停電灯支持部材上面折り曲げ部、１９…貫通孔、２０…緩衝材、２２，２８…停電灯固定部材、２４…棒状部材（ロッド）、２５…ダブルナット、２９…紐状部材、３０，３１…照明領域、１００…エレベーター。
【図１】
2019006592.tif 000003
【図２】
2019006592.tif 000004
【図３】
2019006592.tif 000005
【図４】
2019006592.tif 000006
【図５Ａ】
2019006592.tif 000007
【図５Ｂ】
2019006592.tif 000008
【図５Ｃ】
2019006592.tif 000009
【図６】
2019006592.tif 000010
【図７】
2019006592.tif 000011
【図８】
2019006592.tif 000012